(57)【特許請求の範囲】
【請求項１】
抗張力体の表面に接着用の１次被覆層を被覆する１次被覆工程と、前記１次被覆工程で被覆した１次被覆層を前記抗張力体とともに予熱する予熱工程と、前記予熱工程で予熱した前記一次被覆層の周囲に２次被覆層を押し出して溝付のスロットを成形する２次被覆工程とを有し、前記２次被覆工程で２次被覆層を被覆するために用いるダイを反転させながら回転動作させることにより特定の反転角度を有するＳＺ溝を形成する光ケーブル用スロットの製造方法であって、
前記予熱工程は、前記２次被覆工程のダイを通過するときの前記１次被覆層の表面温度を４０〜７０℃の範囲になるように前記予熱の条件を制御し、前記４０〜７０℃の範囲内で、前記光ファイバ用スロットの製造線速の増大に応じて、前記２次被覆工程のダイを通過するときの前記１次被覆層の表面温度を低下させ、
前記予熱工程は、
Ｔ＝−Ａ×Ｖ＋Ｂ
但し、Ｔは前記２次被覆工程のダイを通過するときの前記１次被覆層の表面温度、
Ｖは前記光ファイバ用スロットの製造線速、
Ａは、０．４≦Ａ≦０．８の範囲の予め設定した値
Ｂは光ファイバ用スロットの製造装置において設定可能な製造線速の全範囲において４０℃≦Ｔ≦７０℃となる範囲で予め設定した値、
に従って、前記予熱の温度条件を制御することを特徴とする光ケーブル用スロットの製造方法。
【請求項２】
前記Ａは、０．６であることを特徴とする請求項１に記載の光ケーブル用スロットの製造方法。
【請求項３】
抗張力体の表面に接着用の１次被覆層を被覆する１次被覆部と、前記１次被覆部で被覆した１次被覆層を前記抗張力体とともに予熱する予熱部と、前記予熱部で予熱した前記一次被覆層の周囲に２次被覆層を押し出して溝付のスロットを成形する２次被覆部とを有し、前記２次被覆部で２次被覆層を被覆するために用いるダイを反転させながら回転動作させることにより特定の反転角度を有するＳＺ溝を形成する光ケーブル用スロットの製造装置であって、
前記予熱部は、前記２次被覆部のダイを通過するときの前記１次被覆層の表面温度を４０〜７０℃の範囲になるように前記予熱の条件を制御し、前記４０〜７０℃の範囲内で、前記光ファイバ用スロットの製造線速の増大に応じて、前記２次被覆部のダイを通過するときの前記１次被覆層の表面温度を低下させ、
前記予熱部は、
Ｔ＝−Ａ×Ｖ＋Ｂ
但し、Ｔは前記２次被覆工程のダイを通過するときの前記１次被覆層の表面温度、
Ｖは前記光ファイバ用スロットの製造線速、
Ａは、０．４≦Ａ≦０．８の範囲の予め設定した値
Ｂは光ファイバ用スロットの製造装置において設定可能な製造線速の全範囲において４０℃≦Ｔ≦７０℃となる範囲で予め設定した値、
に従って、前記予熱の温度条件を制御することを特徴とする光ケーブルスロットの製造装置。
【発明の詳細な説明】
【技術分野】
【０００１】
本発明は、複数の光ファイバ心線を溝に収納して保護する光ケーブル用のスロットの製造方法、および製造装置に関する。
【背景技術】
【０００２】
光ファイバによる家庭向けのデータ通信サービス（ＦＴＴＨ：Fiber To The Home）の加入者に対して、幹線光ケーブル等からドロップ光ケーブルを用いて光ファイバが引き落されている。加入者宅への光ファイバの引き落しは、例えば、市街の電柱等に布設された幹線光ケーブルを、クロージャと称されている接続函で分岐し、分岐した光ファイバ心線にドロップ光ケーブルを接続している。
【０００３】
幹線光ケーブルは、例えば、図５に示すように、複数条の溝２ａを有し、その中心にテンションメンバ（抗張力体）３ａを埋設した樹脂製のロッドからなるスロット１（スペーサとも言う）が設けられる。テンションメンバ３ａの周囲には接着用の１次被覆層３ｂが被覆される。テンションメンバ３ａに１次被覆層３ｂを被覆した状態の線状体が下押し３である。そして、下押し３の周囲には、溝２ａが形成された２次被覆層２が被覆成形される。
１次被覆層３ｂは、溝２ａが形成される２次被覆層２との密着力を高める目的で設けられる。１次被覆層３ｂは単層構成のみならず多層により構成される場合もある。例えば、径の大きい光ケーブルの場合など、被覆成形工程を複数回（例えば２〜４回）繰り返すことにより多層構成の１次被覆層３ｂを形成したものもある。通常、２次被覆層２として高密度のポリエチレンが用いられ、１次被覆層３ｂには低密度のポリエチレンが用いられる。
【０００４】
スロット１の溝２ａには、複数本の単心の光ファイバ心線あるいは多心の光ファイバテープ心線４が収納される。光ファイバテープ心線４が溝２ａに収納されたスロット１には、上巻きテープ５が巻き付けられ、さらにその外側に保護用の外被６が被覆される。
【０００５】
スロット１の溝２ａの軌跡は、光ファイバの伝送特性を確保するために長手方向に撚られている。スロット１は、溝２ａの形状により大きく２種類に大別される。１つはＨＬと称する一方向撚りの溝２ａを有するもので、もう１つは、ＳＺと称する長手方向に左右に反転した双方向撚りの溝２ａを有するものである。近年では、中間後分岐性に優るＳＺ型のスロットが主流となっている。
【０００６】
スロット１の製造工程では、まず、抗張力体であるテンションメンバ３ａの周囲に、１次被覆層３ｂを押し出して被覆し、下押し３を成型する。図６に示すように、下押し３は予熱装置１４によって予熱された後、ダイ１６ａを装着したロータリクロスヘッド（ＲＸＨ）１６により２次被覆層２が被覆成形される。このとき、双方向撚りのＳＺ型のスロット１を成形するために、ダイ１６ａを左右に反転させながら２次被覆層２の樹脂材料を押し出す。これにより、２次被覆層２にＳＺ形状の溝２ａが形成される。
【０００７】
図７は、ＳＺ型のスロットにおける溝の形状を説明する図である。スロット１の溝２ａは、光ファイバケーブルの伝送特性を維持するために一定の反転角度θ、及びピッチｐを有している。そしてその溝２ａの反転角度θの大きさは、管理範囲が定められている。例えば管理範囲として、中心値±２０°の範囲が定められる。一例として反転角度θの中心値が３００°であれば、反転角度θが２８０〜３２０°の範囲に入るようにスロット１を製造する必要がある。
【０００８】
図８は、製造線速に応じた反転角度の変化例を示す図である。生産性を向上させるために製造線速（ライン速度）を上げていくと、ダイの反転速度（ダイの角速度）も上がることになり、テンションメンバがダイの反転動作に追従して共回りして捻れてしまう。この結果、製造線速の増大に応じて、成形された溝２ａの反転角度θが小さくなり、必要な反転角度が確保できなくなる。つまり、製造線速を上げると反転角度θが低下し、一定の製造線速を超えると管理範囲から外れるため、生産性向上の阻害要因となっている。
【０００９】
溝の反転角度の変動を防止するための先行技術として、例えば特許文献１には、クロスヘッドダイの前段に冷却装置を配して、テンションメンバとなる金属線材を冷却し、クロスヘッドダイに供給する金属線材の温度を０℃以上３０℃未満とするスロットの製造方法が開示されている。
また、特許文献２には、回転ダイの上流側に、テンションメンバをその軸周りに回転可能に把持する把持部を備え、回転ダイの交互反転に同期させて、回転ダイの交互反転方向とは逆方向にテンションメンバを交互反転させるようにしたスロットの製造方法が開示されている。
【先行技術文献】
【特許文献】
【００１０】
【特許文献１】特開２００２−２９６４７１号公報
【特許文献２】特開平１１−９５０７７号公報
【発明の概要】
【発明が解決しようとする課題】
【００１１】
上記のように、溝の反転角度が小さくなる要因は、スロットの製造線速の増加に伴う下押しの共回りにある。このような共回りによる反転角度の低下を防止するために、特許文献２のように、回転ダイの上流側に備えた下押把持部を回転ダイの交互反転に同期させて逆方向に交互反転させる技術が存在する。しかしながら、このような技術を用いても、スロットの製造線速を上げていくと下押と把持部との間で滑りが生じ、安定した反転角度を得ることができない。また、このような滑りを防止すべく下押しの把持力を増大させるようにすると、下押に傷が付きやすくなるなどの問題が生じ、根本的な解決には至らない。
【００１２】
また、特許文献１は、クロスヘッドダイに供給する金属素材のテンションメンバを０℃以上３０℃未満に管理するようにしている。しかしながら、製造線速が増大していくと共回りの状態も変化していく。共回りは、後述するように下押しに対して２次被覆を施すときの下押しの温度に依存するため、製造線速を考慮することなく温度管理を行っても安定した反転角度を得ることはできない。
【００１３】
本発明は、上述した実情に鑑みてなされたもので、製造線速を変化させた場合であっても、溝の反転角度を安定させることができる光ケーブル用スロットの製造方法及び製造装置の提供を目的とする。
【課題を解決するための手段】
【００１４】
本発明による光ケーブル用スロットの製造方法は、抗張力体の表面に接着用の１次被覆層を被覆する１次被覆工程と、１次被覆工程で被覆した１次被覆層を抗張力体とともに予熱する予熱工程と、予熱工程で予熱した一次被覆層の周囲に２次被覆層を押し出して溝付のスロットを成形する２次被覆工程とを有し、２次被覆工程で２次被覆層を被覆するために用いるダイを反転させながら回転動作させることにより特定の反転角度を有するＳＺ溝を形成する方法である。そして上記の予熱工程は、２次被覆工程のダイを通過するときの１次被覆層の表面温度を４０〜７０℃の範囲になるように予熱の条件を制御し、４０〜７０℃の範囲内で、光ファイバ用スロットの製造線速の増大に応じて、２次被覆工程のダイを通過するときの１次被覆層の表面温度を低下させる。また、上記予熱工程において、Ｔ＝−Ａ×Ｖ＋Ｂ  但し、Ｔは前記２次被覆工程のダイを通過するときの前記１次被覆層の表面温度、Ｖは前記光ファイバ用スロットの製造線速、Ａは、０．４≦Ａ≦０．８の範囲の予め設定した値、Ｂは光ファイバ用スロットの製造装置において設定可能な製造線速の全範囲において４０℃≦Ｔ≦７０℃となる範囲で予め設定した値、に従って、予熱の温度条件を制御する。
【００１５】
さらに本発明は、上記Ａを０．６とする。
【００１６】
また、本発明による光ケーブル用スロットの製造装置は、抗張力体の表面に接着用の１次被覆層を被覆する１次被覆部と、１次被覆部で被覆した１次被覆層を抗張力体とともに予熱する予熱部と、予熱部で予熱した前記一次被覆層の周囲に２次被覆層を押し出して溝付のスロットを成形する２次被覆部とを有し、２次被覆部で２次被覆層を被覆するために用いるダイを反転させながら回転動作させることにより特定の反転角度を有するＳＺ溝を形成する装置である。そして上記の予熱部は、２次被覆部のダイを通過するときの１次被覆層の温度を４０〜７０℃の範囲になるように予熱の条件を制御し、４０〜７０℃の範囲内で、光ファイバ用スロットの製造線速の増大に応じて、２次被覆部のダイを通過するときの１次被覆層の温度を低下させ、前記予熱部は、Ｔ＝−Ａ×Ｖ＋Ｂ  但し、Ｔは前記２次被覆工程のダイを通過するときの前記１次被覆層の表面温度、Ｖは前記光ファイバ用スロットの製造線速、Ａは、０．４≦Ａ≦０．８の範囲の予め設定した値、Ｂは光ファイバ用スロットの製造装置において設定可能な製造線速の全範囲において４０℃≦Ｔ≦７０℃となる範囲で予め設定した値、に従って、前記予熱の温度条件を制御することを特徴とする。
【発明の効果】
【００１７】
本発明によれば、製造線速を変化させた場合であっても、反転角度が安定した溝をもつスロットを製造することがでる。本発明では、一定の反転角度の溝を備えるＳＺ型のスロットを製造する際に、下押しの表面温度を４０〜７０°の範囲になるように制御し、この４０〜７０°の範囲内で製造線速の増大に応じて下押しの表面温度を低下させることにより、下押しと２次被覆層との密着力が低減されて下押とダイとが共回りしなくなり、製造線速を増大させてもスロットの溝の反転角度が低下することなく、安定した反転角度でスロットを製造することができるようになる。
【図面の簡単な説明】
【００１８】
【図１】本発明に係る光ケーブル用スロットを製造する装置構成例を説明するための図である。
【図２】下押しの表面温度と反転角度θとの相関例を示す図である。
【図３】下押しの表面温度をスロットの製造線速に応じて最適に制御した際の反転角度を示す図である。
【図４】下押しの表面温度を変化させてスロットを製造し、それを評価した結果を示す表である。
【図５】ＳＺ型のスロットを使用した光ケーブルの構成例を示す図である。
【図６】従来の製造工程において下押しに２次被覆層を被覆成形する工程を説明する図である。
【図７】ＳＺ型のスロットにおける溝の形状を説明する図である。
【図８】従来の製造工程において製造線速に応じた反転角度の変化例を示す図である。
【発明を実施するための形態】
【００１９】
本発明は、ＳＺ型の光ケーブル用スロットを製造する際に、ロータリクロスヘッドのダイの回転に対する下押しの共回りを防止し、製造線速にかかわらずＳＺ溝の反転角度を安定化させる製造方法及び製造装置を提供するものである。本発明により製造される光ケーブル用スロットは、上記図５に示すような構成を有するもので、テンションメンバ３ａの周囲に１次被覆層３ｂが被覆された下押し３に対して、さらにＳＺ型の溝２ａが形成された２次被覆層２を有するものである。
【００２０】
図１は、本発明に係る光ケーブル用スロットを製造する装置構成例を説明するための図である。鋼線等のテンションメンバ３ａは、繰り出し装置１０から繰り出され、１次被覆用の押出機１１のクロスヘッド１２にて周囲に１次被覆層３ｂが被覆され、下押し３が成形される。ここでは１次被覆層３ｂを単層で成形する例を示しているが、１次被覆層３ｂは多層成型により構成してもよい。この場合、例えば、被覆成形工程を複数回（例えば２〜４回）繰り返して多層構成による１次被覆層３ｂを成形する。成形された下押し３は、冷却槽１３で冷却されて１次被覆層３ｂが冷却固化される。そして下押し３は、予熱装置１４にて所定の温度条件にて予熱される。予熱装置１４としては、温度調整した温風を吹き付けるチャンバなどを用いることができる。
【００２１】
予熱装置１４で予熱された下押し３は、２次被覆用の押出機１５に取り付けられたロータリクロスヘッド１６にて１次被覆層３ｂの周囲に２次被覆層２が被覆される。２次被覆層２には、ロータリクロスヘッド１６のダイによって溝２ａが形成される。このとき、ダイが反転動作を行いながらテンションメンバ３ａの軸心回りに回転することによりＳＺ形状の溝２ａとなる。２次被覆層２が被覆されたスロット１は、冷却槽１７で冷却され、巻取機１８で巻き取られる。１次被覆層用の押出機１１とクロスヘッド１２は、本発明の１次被覆部に相当し、予熱装置１４は本発明の予熱部に相当する。また、２次被覆用の押出機１５とロータリクロスヘッド１６は本発明の２次被覆部に相当する。
【００２２】
本発明に係る実施形態では、下押し３の予熱条件を調整することによりロータリクロスヘッド１６における下押し３の温度を最適化することで、製造線速を変えても安定した反転角度θを得ることができるようにする。
下押し３とダイとが同じ方向に共回りしてしまう要因の一つに、ロータリクロスヘッドで押し出した２次被覆層２と、下押し３との密着性が挙げられる。共回りを生じないようにするには、ダイを通過する下押し３とダイで押し出された２次被覆層２との密着力を下げる必要がある。下押し３と２次被覆層２との密着力が低くなると、ダイスとともに回転する２次被覆層が下押し３を回転させようとする力が弱くなり、この結果、ダイスの回転に伴う下押し３の共回りを抑えることができる。
【００２３】
下押し３と２次被覆層２との密着力を下げる上で重要な条件は、ロータリクロスヘッド１６に入る前の下押し３の表面温度である。上述した図８の例は、下押し３の表面温度を一定に保ったまま製造線速を変化させたときの反転角度θを示すもので、この場合には製造線速の増大ともに反転角度θの低下が生じた。
【００２４】
本発明に係る実施形態では、ロータリクロスヘッド１６の上流側の予熱装置１４による下押し３の予熱条件を製造線速に応じて変化させることにより、ロータリクロスヘッド１６を通過するときの下押し３の表面温度を操作する。これにより、ロータリクロスヘッド１６における下押し３とその周囲に被覆する２次被覆層２との密着性を最適化することができ、どのような製造線速域であっても、安定した反転角度θを得られるようにしている。
【００２５】
図２は、下押しの表面温度と反転角度θとの相関例を示す図である。ここでは、線速Ａ，Ｃ，Ｅの３つの製造線速（Ａ＜Ｃ＜Ｅ）でスロット１を製造した。ここでＳＺ溝のピッチは一定であるものとする。
図２に示すように、いずれの製造線速においても、下押し３の表面温度が低下するに従って反転角度θが増大する。これは、予熱を抑えて下押し３の表面温度を低くしていくと、ロータリクロスヘッド１６で２次被覆層２を押し出す際に下押し３と２次被覆層２との密着性が低下することによる。密着性が低下すると、下押し３がダイとが共周りしにくくなり、反転角度θは大きくなっていく。
【００２６】
製造線速を変化させても反転角を一定レベルに維持するためには、製造線速の変化に応じて下押し３の温度を最適に制御すればよい。
例えば、図２に示す条件で製造線速をＡ→Ｃ→Ｅと上げていく場合、製造線速の増大に応じて、図中矢印で示すように下押し３の表面温度を７０℃→６０℃→５５℃と低下させる。これにより、反転角度θを管理範囲の中心値付近でほぼ一定に保つことができる。なお、ここでいう表面温度とは、ロータリクロスヘッド１６を通過するときの下押し３の表面温度（つまり１次被覆層３ｂの表面温度）であり、ロータリクロスヘッド１６の上流側に配置した予熱装置１４の予熱条件を調整することで、ロータリクロスヘッド１６の通過時の下押し３の表面温度を制御する。
【００２７】
図３は、下押しの表面温度をスロットの製造線速に応じて最適に制御した際の反転角度を示す図である。ここでは、製造線速のＡからＥへ変化させ、その製造線速の上昇に応じて下押し３の表面温度を低下させた。これにより、高速域における反転角度θの減少を防止することができ、この例では、製造速度を変化させても反転角度θを中心値±５°以内で安定させることができた。
【００２８】
図４は、下押しの表面温度を変化させてスロットを製造し、それを評価した結果を示す表である。この評価においては、それぞれのサンプルについて製造線速を２点で設定し、その低速時と高速時における下押し３の表面温度をそれぞれ制御して、スロットの溝２ａの反転角度θを評価した。反転角度θは、目標反転角度の中心値に近いほどよく、中心値±２０°であれば許容範囲内とする。
【００２９】
試験例１では、低速時と高速時とで下押しの表面温度を一定（５５℃）とした。従って製造線速に対する表面温度の傾き（℃／（ｍ／分））は０となる。この場合、低速時において溝の反転角度θが中心値±３°で安定していたものが、高速時では中心値−３０°となり、反転角度θが大幅に低下して許容範囲外となった。
【００３０】
一方、試験例２〜６では、下押しの表面温度を低速時よりも高速時に低くして、得られたスロットの反転角度θを評価した。実施例１〜５のいずれも低速時の温度を７０℃とし、高速時には、試験例２〜６で順に６０℃、５５℃、５０℃、４０℃、３０℃とした。この場合の製造線速に対する温度の傾き（℃／（ｍ／分））は順に、−０.２、−０.４、−０.６、−０.８、−１.０となった。
【００３１】
試験例２〜６において、反転角度θが最も良好であったのは試験例４であり、高速時の反転角度は中心値±５°に維持されている。この他、試験例３、５においても反転角度θが中心値＋１０°、もしくは−１０°であり、反転角度θの乱れが低速時よりも若干増大しているものの許容範囲内であった。これらの結果から、ロータリクロスヘッド１６を通過するときの下押し３の表面温度は、４０〜７０℃の範囲とすることが適切である。
【００３２】
なお、上記の試験例１と試験例２〜６では、ダイの動作反転角度が異なっている。
試験例２〜６では試験例１よりも低速時の下押し３の表面温度を高くしているため、下押し３と２次被覆層２との密着性が高く、反転角度θが減少し易い。従って、同じ低速時に試験例１と試験例２〜６とで同等の反転角度を得るためには、試験例２〜６にてダイの動作反転角度を大きくする必要がある。
【００３３】
このように、ダイの動作反転角度を調整することによって、上記の４０〜７０℃以外の範囲でも、溝の反転角度を中心値付近に合わせることは可能である。しかしながら、下押し３の表面温度が高すぎると、一定以上の速度でダイを回転させながら動作反転角度を大きくする必要が生じ、設備の大型化を招来するというデメリットがある。
一方、下押し３の表面温度が低すぎると、下押し３とその周囲に被覆する２次被覆層２との密着力が低下してスロットとしての強度を保つことができなくなる。従ってこれらのことから、ロータリクロスヘッド１６における下押し３の表面温度は、４０〜７０℃の範囲とすることが必要となる。
【００３４】
ここで、ロータリクロスヘッドおける下押し３の表面温度をＴ、スロット１の製造線速をＶ、製造線速Ｖに対して下押し３の表面温度を変化させる傾きを係数Ａとする。この場合、
Ｔ＝−Ａ×Ｖ＋Ｂ  ・・・・式（１）
の式に従って製造線速に応じた下押し表面温度Ｔを算出することで、製造線速を変化させたときの下押し温度Ｔの値を得ることができる。
このとき、上記式（１）において、図４の結果からＡは０．６０とすることが好適であり、少なくとも０．６±０．２の範囲で予め設定しておく。また、Ｂは、製造線速Ｖの設定可能範囲の全範囲でＴ＝４０〜７０（℃）となるように予め定めた値とする。
【００３５】
これにより、例えば、製造線速Ｖ１のときの下押しの表面温度Ｔ１は、４０〜７０℃の範囲内の所定値となる。この場合−ＡＶの値は、−０．６Ｖ１である。そして製造線速Ｖ２に増速したときに、−ＡＶの値は−０．６Ｖ２（Ｖ１＜Ｖ２）となり、製造線速Ｖ２のときの下押し３の表面温度Ｔ２は、−０．６×（Ｖ２−Ｖ１）だけＴ１より低下することになる。また、Ｔ２についても４０〜７０℃の範囲内にあるようにＢが設定されている。
このような設定に基づいて下押し３の表面温度Ｔを制御することにより、設定可能な全線速域において溝の反転角度θを安定させて製造することができる。特にＡの値を０．６±０．２の範囲で予め設定すれば、反転角θを中心値±２０°以内で安定させることが可能となる。さらにＡの値を０．６に設定すれば、反転角度を中心値±５°の範囲で安定させることができる。
【符号の説明】
【００３６】
１…スロット、２…２次被覆層、２ａ…溝、３ａ…テンションメンバ、３ｂ…次被覆層、４…光ファイバテープ心線、５…テープ、６…外被、１０…繰り出し装置、１１…１次被覆用の押出機、１２…クロスヘッド、１３…冷却槽、１４…予熱装置、１５…２次被覆用の押出機、１６…ロータリクロスヘッド、１６ａ…ダイ、１７…冷却槽、１８…巻取機。
【図１】
0005593952.tif 000002
【図２】
0005593952.tif 000003
【図３】
0005593952.tif 000004
【図４】
0005593952.tif 000005
【図５】
0005593952.tif 000006
【図６】
0005593952.tif 000007
【図７】
0005593952.tif 000008
【図８】
0005593952.tif 000009